(57)【要約】【課題】脈拍の検知により得られたデータの有効利用により、パチンコ機用解錠装置のセキュリティ機能を強化する。【解決手段】ステップＳ１で、送信ユニットを腕に装着したまま管理コンピュータから特定の解錠信号やＩＤなどのデータ一式を入力することによってプログラムを起動させ、Ｓ２で脈拍センサの検出信号が確認されれば、Ｓ３で初期設定が実行される。初期設定が完了後は、押ボタンの操作で特定の解錠信号やＩＤなどのデータ発信機能が有効になる。送信ユニットが腕から外されると、脈拍センサからの検出信号が途絶えるので、Ｓ４で脈拍センサからの検出信号が確認できなくなり、Ｓ７で解錠信号のデータが消去され、Ｓ８でデータ発信機能を無効にするようリセットされる。【選択図】    図３
2004332302.tif 000002
【特許請求の範囲】
【請求項１】
スイッチ操作によって特定の解錠信号を発信する腕又は指に装着するタイプの送信ユニットと、その送信ユニットから発信された解錠信号が所定の信号コードと一致することを確認したら、施錠機構に解錠指令を出力する受信ユニットとを備え、前記送信ユニットの送信機能が、腕に装着前、或いは腕に装着した状態で実行された初期設定によってのみ有効となり、腕から外されることによって無効とされことを特徴とするリモートコントロール式解錠装置。
【請求項２】
スイッチ操作によって特定の解錠信号を発信する腕又は指に装着するタイプの送信ユニットと、その送信ユニットから発信された解錠信号が所定の信号パターンと一致することを確認したら、施錠機構に解錠指令を出力する受信ユニットとを備え、前記送信ユニットの送信機能は、指に装着前、或いは指に装着した状態で実行された初期設定によってのみ有効となり、指から外されることによって無効とされることを特徴とするリモートコントロール式解錠装置。
【請求項３】
腕或いは指への装着状態を、脈拍の検知によって識別する請求項１に記載のリモートコントロール式解錠装置。
【請求項４】
脈拍の検知に、装着者固有の波形識別機能を付加した請求項１又は２に記載のリモートコントロール式解錠装置。
【請求項５】
腕或いは指への装着状態を、体温の検知によって認識する請求項１又は２に記載のリモートコントロール式解錠装置。
【請求項６】
解錠信号に、装着者を認識するデータを含ませた請求項１〜５のいずれかに記載のリモートコントロール式解錠装置。
【発明の詳細な説明】
【０００１】
【発明の属する技術分野】
本発明は、スロットマシン、パチスロ機、パチンコ機など、ホールに設置されて不特定多数のプレーヤーを対象とする遊技機、同じくホール内に設置される玉貸し機、両替機など、高いセキュリティが要求される現金を取り扱う各種機器のリモートコントロール式解錠装置に関する。
【０００２】
【従来の技術】
ホール内に設置されている遊技機は、内部を勝手に操作されないよう、ガラス扉や枠体は施錠装置によってロックされている。
又、同じホール内には、玉貸し機、両替機など、現金を取り扱う各種機器も設置されていて、それらの機器も施錠装置によって厳重にロックされている。
遊技機では、メンテナンスにおける調整時ばかりでなく、盤面上で遊技球が釘の間に挟まったり、盤の裏で遊技球は詰まったりした場合には、窓枠或いは枠体のロックを解除して所定の作業を行わなくてはならないし、遊技機以外の各種機器も、解錠しなくてはお金を回収できない。
そのためホールの係員は、必要に応じて解錠操作し、所定の作業を行うことができるように、常時、専用のキーを携帯している。
そして従来の解錠装置は、錠前にキーを挿し込んで回動させる手動式が広く利用されていた。
しかしながら手動式のキーは複製されやすいので、セキュリティ面での不安があることと、プレイヤーの肩越しに手を伸ばして回動させる操作性の悪さなどから、特許文献１に記載のように、電波、赤外線、超音波等の無線手段、或いは管理センターからの指令により、アクチュエータによってロックを解除するリモートコントロール式の解錠装置も実用化されている。
【０００３】
【特許文献１】
特開２００２−３０１２５１号公報
【０００４】
【発明が解決しようとする課題】
リモートコントロール式解錠装置の採用により、作業性が大幅に改善されると共に、キーの電子化によってセキュリティ対策も強化された。
しかしながら電子化されたキーとはいえど、手動式のキーと同様に、盗難に遭遇したり故意に貸し渡すなどの行為によって第三者の手に渡ってしまうと、防御対策が施されるまでの間は無防備になってしまうし、複製も不可能ではないので、合い鍵の作成を許してしまう結果を招く。
特に近年は、外国人の窃盗団グループや従業員を巻き込んだ内部犯行の多発により、損害額も増加の一歩をたどっているのが実情である。
【０００５】
【課題を解決するための手段】
本発明は、電子化の特質を効果的に利用してセキュリティをより高めたリモートコントロール式解錠装置であって、その構成は、スイッチ操作によって特定の解錠信号を発信する指又は腕に装着するタイプの送信ユニットと、その送信ユニットから発信された解錠信号が所定の信号コードと一致することを確認したら、施錠機構に解錠指令を出力する受信ユニットとを備え、前記送信ユニットの送信機能が、腕に装着前、或いは腕に装着した状態、もしくは指に装着前、又は指に装着した状態で実行された初期設定によってのみ有効となり、腕から外されることによって無効とされることにある。
【０００６】
そして前記腕或いは指への装着状態は、脈拍の検知や体温の検知によって認識させることができ、脈拍の検知には、装着者固有の波形識別機能を付加することができる。
又、前記解錠信号には、装着者を認識するデータを含ませることが望ましい。
【０００７】
【発明の実施の形態】
以下、本発明に係る解錠装置をパチンコ機に利用した一例につき図面に基づき説明する。
図１の（ａ）において、１は、ワンチップマイコン内蔵の送信ユニット、２はパチンコ機に組み込まれた受信ユニットであり、前記送信ユニット１は、本体１ａにバンド１ｂが付属された腕時計タイプであって、本体１ａには、窓枠解錠用と枠体用とのスイッチとして２つの解錠用押ボタン３，３が装備されており、それらの押ボタン３，３の操作により受信ユニット２を介してパチンコ機の施錠機構を解除することができる。
前記送信ユニット１の本体１ａには、赤外線発信部４と、解錠信号を含む初期設定用のデータを入力するためのコネクタ５とが設けられ、バンド１ｂには、脈拍センサ６が取り付けられている。
【０００８】
脈拍センサ６は、図１の（ｂ）に示すように、腕に装着した場合、手首の静脈にあてがって脈拍を検出できる位置に取り付けられており、脈拍の検出によって送信ユニット１が腕に装着されていることを認識するためのものである。
そして内蔵されているワンチップマイコンには、コネクタ５からのデータ入力と、脈拍センサ６からの検出信号確認とによって、押ボタン３，３の操作で赤外線発信部４から特定の解錠信号を発信可能とする初期設定を行い、脈拍センサ６からの検出信号が途絶えたら、初期設定を解除するプログラムが記憶されている。
一方受信ユニット２には、予め解錠指令の出力を容認する信号コードが設定されていて、送信ユニット１から発信された特定の解錠信号が所定の信号コードと一致することを確認したら、施錠機構に解錠指令を出力するプログラムが記憶されている。
【０００９】
次に、このように形成されたリモートコントロール式解錠装置の使用形態を、図１の（ｂ）、及び図２の（ａ）、（ｂ）に示す使用形態を示した図面、及び図３のフローチャート図を参照しつつ説明する。
先ず、図１の（ｂ）に示すように、送信ユニット１を腕に装着した状態で、端末機に接続されたケーブルのカプラー７を本体１ａのコネクタ５に嵌め込み、Ｓ１にて管理コンピュータから端末機を介し、特定の解錠信号や装着者を認識するためのＩＤなどのデータ一式を入力する。
このデータ入力作業は一人一人全員に行うため、管理者と従業員が直に接する良い機会を生み、朝礼の慣行に一役買うことにもなる。
データ一式が入力されるとプログラムが起動し、続いてＳ２により脈拍センサ６の検出信号が確認されたら、装着されていることが確認されたと判断し、Ｓ３で初期設定が実行される（図１のｂ）。
初期設定が完了すると、押ボタン３を操作すれば、Ｓ５にて前記管理コンピュータから入力されたデータ一式に含まれている特定の解錠信号やＩＤなどのデータ発信機能が有効になり、この発信機能の維持は、Ｓ４で脈拍センサ６からの検出信号が確認されることが条件となる。
【００１０】
Ｓ６の実行により送信ユニット１から解錠信号が発信されると、受信ユニット２はその解錠信号のコードを記録バンクにある信号コードと照合し、正しいことを確認した上で施錠機構に解錠指令を出力する（図２のａ）。
図２の（ｂ）に示すように、送信ユニット１が腕から外されて脈拍センサ６からの検出信号が途絶えると、前記Ｓ４で脈拍センサ６からの検出信号を確認できなくなるので、Ｓ７では少なくとも解錠信号のデータを消去し、Ｓ８で発信機能を無効にするようリセットされる。
【００１１】
このように一旦初期設定されれば、腕から外されない限り解錠信号の発信機能が維持され、その発信機能が維持されている間は、ワンタッチのスイッチ操作のみでガラス窓枠や枠体を解錠することができ、返却時以外は外さないので、置き忘れや盗難の心配もない。
万一、強奪されたり不正に貸し渡しするために腕から外した場合は、脈拍センサ５からの検出信号が途絶えるので、発信機能が働かなくなり、不正利用は防止される。
【００１２】
送信ユニットに対して端末機を介して入力されるデータには、装着者を認識するデータとしてのＩＤ番号が含まれており、送信ユニットはそのＩＤ番号を解錠信号と共に発信する。
ＩＤ番号を受け取った受信ユニットは、常時接続の管理コンピュータにそのデータを送信し、管理コンピュータにて解錠操作された時間やＩＤ番号などのといった履歴の一覧を作成するようになっている。
脈拍の波形には個人差があることは知られているが、現状ではその分析結果は詳しく解明されていない。
しかしながら、近い将来、波形の違いを判別可能な手段が開発された暁には、送信ユニットに装着者の脈拍データを取り込み、その脈拍データの中から波形データを抽出して解錠信号と共に発信し、受信ユニットで、登録されている波形データと照合する機能を付加することによって、セキュリティを更に強化することができる。
又、体内には神経の伝達を始めとした微弱な電流が流れているので、その微弱電流を送信ユニットの装着状態を判別するために利用することも期待される。
【００１３】
前記実施例の送信ユニットは、腕への装着状態を、脈拍の検知によって識別しているが、体温の検知、或いはバンドの連結が外されたことを電気的に検知、例えば左右のバンド相互間が通電可能な状態にある装着時と、バンドが外されて左右のバンド相互間の通電不能な状態時との違いを根拠に識別させることもできる
【００１４】
前記実施例は腕に装着する腕時計タイプについて説明したが、指に装着する指輪タイプにまで小型化することができる。
このように、本発明のリモートコントロール式解錠装置は、腕か指に装着した状態で初期設定を行わないと機能しないので、保管してあるものを無断で持ち出したり拾ったりしても悪用されることがなく、たとえ従業員であろうとも同様である。
又、初期設定後は、第３者が使用しようとして装着者の腕や指から発信ユニットを外すと、発信ユニットは解錠信号の発信機能が無効にされて全く役に立たなくなってしまうので、第３者が使用することはできない。
本発明のリモートコントロール式解錠装置はパチンコ機を始めとした遊技機、両替機、玉貸し機など、ホール内に設置される全ての機器に好適利用されるが、とりわけ常に大金がプールされ、絶好の標的と言われている玉貸し機にあっては、完璧なセキュリティチェックにより被害は激減される。
尚本発明は前記実施例に限定されるものでなく、送信ユニットの形態、装着認識手段、入力データ、プログラムなどは、適宜変更して差し支えない。
【００１５】
【発明の効果】
本発明によれば、送信ユニットの送信機能が、腕に装着前、或いは腕に装着した状態で実行された初期設定によってのみ有効となり、腕から外されることによって無効とされるので、解錠操作は装着者のみに限られ、第３者が手にしてもデータ入力手段がなければ役に立たない。
そのため、これまで強奪されたり貸し渡しなど、防衛策がなかった場合にまでセキュリティ範囲が拡大される。
そして、腕或いは指への装着状態を、脈拍の検知や体温の検知によって識別すれば、動作の確実性が高くなり、その脈拍の検知に、装着者固有の波形識別機能を付加すれば、信頼性はより向上する。
又、解錠信号に、装着者を認識するデータを含ませるようにすれば、解錠操作した者を特定することができ、遊技機の状態と共に係員の勤務状況を一括管理することができる。
【図面の簡単な説明】
【図１】（ａ）は本発明に係るリモートコントロール式解錠装置を示した説明図、（ｂ）は、リモートコントロール式解錠装置における送信ユニットの初期設定時における操作説明図である。
【図２】（ａ）は、送信ユニットの解錠操作を示した説明図、（ｂ）は、送信ユニットの取り外し操作を示した説明図である。
【図３】送信ユニットの動作例を示したフローチャート図である。
【符号の説明】
１・・送信ユニット、１ａ・・本体、１ｂ・・バンド、２・・受信ユニット、３・・押ボタン、４・・赤外線発信部、５・・コネクタ、６・・脈拍センサ、７・・カプラー。
【図１】
2004332302.tif 000003
【図２】
2004332302.tif 000004
【図３】
2004332302.tif 000005